(57)【要約】      （修正有）【課題】書物を略垂直に立てた状態で展示する額縁を提供する。【解決手段】枠体１２を有する額縁１０は、展示物２４を前面から押さえる棒状の保持部材１６と、展示物２４を後面から押さえる裏板１８とを備える。保持部材１６の両端は、枠体１２の対向する辺において一対の支持手段により支持される。展示物２４は、保持部材１６と裏面１８とにより挟まれることで保持される。さらに、裏板１８には、展示物２４の保持を補助するための展示物収容溝２０，２２が設けられる。【選択図】図１
0003188590.tif 000002
【実用新案登録請求の範囲】
【請求項１】
枠体と、
前記枠体の裏面に設けられる裏板と、
前記裏板との間で展示物を挟んで保持する棒状の保持部材と、
前記保持部材の両端を前記枠体の対向する辺において支持する一対の支持手段と、
を備えることを特徴とする額縁。
【請求項２】
前記保持部材は、透明又は半透明の部材である、
ことを特徴とする、請求項１に記載の額縁。
【請求項３】
前記保持部材は、可撓性を有する、
ことを特徴とする、請求項１に記載の額縁。
【請求項４】
前記支持手段は、前記保持部材の端部が挿入される凹部である、
ことを特徴とする、請求項１に記載の額縁。
【請求項５】
前記裏板は、前記展示物を保持するための展示物収容溝を備える、
ことを特徴とする、請求項１に記載の額縁。
【考案の詳細な説明】
【技術分野】
【０００１】
本考案は、額縁に関し、特に、本等の書物を展示するための額縁に関する。
【背景技術】
【０００２】
従来から、絵画や写真等の展示物を入れて飾るための額縁が知られている。額縁は、自宅等において展示物を個人的に楽しむために用いられる他、多数の鑑賞者に展示物が鑑賞される展示会等においても広く用いられている。
【０００３】
額縁は、その枠体を装飾することで展示の美観を向上させる効果と共に、展示物を略垂直に立てた状態にするという効果も有している。額縁に入れられた絵画や写真等は、額縁が壁等に掛けられることで略垂直に立てた状態にさせられている。これにより、鑑賞者が展示物を鑑賞し易くなり、また、一度に多数の鑑賞者が展示物を鑑賞できるようになる。
【０００４】
絵画や写真のみならず、本或いは巻物等の書物も展示物として展示される場合がある。展示会等においてこれら書物は、開かれる等して机の上に置かれた状態で展示されるのが一般的である。
【考案の開示】
【考案が解決しようとする課題】
【０００５】
上述の通り、展覧会等において本或いは巻物等の書物は、机の上に置かれた状態で展示されており、この状態は鑑賞者が鑑賞し易い状態とは言い難い状況であった。さらに、机の上に置かれた状態では一度に多数の鑑賞者が鑑賞することができないという問題もあった。
【０００６】
本考案の目的は、書物を略垂直に立てた状態で展示することができる額縁を提供することにある。
【課題を解決するための手段】
【０００７】
（１）本考案は、枠体と、前記枠体の裏面に設けられる裏板と、前記裏板との間で展示物を挟んで保持する棒状の保持部材と、前記保持部材の両端を前記枠体の対向する辺において支持する一対の支持手段と、を備えることを特徴とする額縁である。
【０００８】
上記構成によれば、棒状の保持部材の両端が、枠体の対向する辺において一対の指示手段によって支持される。これにより、裏板と棒状の保持部材とによって展示物を挟んで保持することが可能になり、展示物を略垂直に立たせた状態或いは前傾姿勢の状態で保持することが可能になる。
【０００９】
（２）上記構成において、前記保持部材は、透明又は半透明の部材であることが好ましい。これにより、保持部材が存在することよって展示の美観を損なうことを抑制することが可能になる。
【００１０】
（３）上記構成において、前記保持部材は、可撓性を有することが好ましい。また、前記支持手段は、前記保持部材の端部が挿入される凹部であることが好ましい。これにより、枠体への保持部材の取り付け及び取り外しを容易に行うことが可能になる。特に、複数ページを有する本を展示しようとする場合、例えば特定の時間毎に展示するページを変更したい場合がある。このような場合に、保持部材の取り付け及び取り外しが容易であることは、展示するページの変更を行う際の手間や時間を省くことになるため有効である。
【００１１】
（４）上記構成において、前記裏板は、前記展示物を保持するための展示物収容溝を備えることが好ましい。これにより、展示物を保持する力がより強まり、より確実に展示物を保持することが可能になる。さらに、展示物が溝に収まっていることで、展示の美観が向上するという効果も有する。
【考案の効果】
【００１２】
本発明によれば、書物を略垂直に立てた状態で展示することができる。
【図面の簡単な説明】
【００１３】
【図１】本実施形態に係る額縁１０の斜視図である。
【図２】額縁１０を略垂直に立てた状態における正面図である。
【図３】裏板１８のＡ−Ａ断面図である。
【考案を実施するための形態】
【００１４】
以下、本考案に係る額縁の実施形態について説明する。なお、本考案は以下の実施形態に限定されるものではない。
【００１５】
図１は、本実施形態に係る額縁１０の斜視図である。額縁１０により展示される展示物２４は、主に本や巻物といった書物であるが、絵画や写真、賞状等であってもよい。額縁１０は、枠体１２、保持部材１６及び裏板１８を含んで構成されている。枠体１２と裏板１８は取り外し可能に形成されていてもよいが、両者が一体となっている構成であってもよい。また、図１に図示される枠体１２の表面に、展示物２４を保護するためのカバーが取り付けられるのも好適である。
【００１６】
枠体１２は、額縁１０の枠を形成するものであり、一般的には矩形である。枠体１２はある程度の強度を有した剛体であることが好ましく、本実施形態においては木製としている。また、枠体１２を鉄やアルミニウム等の金属、或いは樹脂等で構成するようにしてもよい。
【００１７】
枠体１２には、後述する棒状の保持部材１６を支持するための支持手段が設けられている。本実施形態においては、支持手段として保持部材１６が挿入される凹部１４が設けられているが、支持手段はこれに限られない。例えば、保持部材１６を挟みこんで支持するものであってもよいし、保持部材１６を磁力等の力で吸着するものであってもよい。
【００１８】
本実施形態における支持手段である凹部１４は、枠体１２の辺に沿って設けられる。凹部１４が設けられた辺に対向する辺にも、当該凹部１４に対応する凹部１４’が設けられる。一対の凹部１４，１４’により１つの保持部材１６が支持される。凹部１４は、枠体１２の１辺において複数設けられること、すなわち枠体１２に複数対の凹部１４，１４’が設けられることが好ましい。これにより、例えば展示物２４のサイズに応じて保持部材１６を支持する箇所を任意に変更して、保持部材１６の位置を変更することができる。
【００１９】
凹部１４は、図１に示すように、枠体１２の内側に設けられることが好ましい。これにより、保持部材１６の取り付け及び取り外しをより容易にするだけでなく、額縁１０を展示したときに凹部１４が見えにくくなるという効果がある。また、凹部１４は、枠体１２の内側において裏板１８に近接した位置に設けられるのが好ましい。これにより、保持部材１６が展示物２４により近くに位置することになり、展示物２４を保持する力を向上させることができる。
【００２０】
なお、図１に示す図においては、凹部１４は額縁１０が略垂直状態に立たせられたときにおける枠体１２の上辺と下辺とに設けられているが、枠体１２の左右の辺（図１において不図示）にも凹部１４を設け、保持部材１６を水平方向に支持可能とするようにしてもよい。これにより、展示物２４の形状や所望の展示態様等に応じて、展示者が任意に保持部材１６の向きを変更することができる。
【００２１】
また、支持手段は、保持部材１６の両端に設けてもよい。例えば、保持部材１６の両端に滑り止めのための部材を設け、枠体１２との摩擦によって保持部材１６を枠体１２に取り付けるようにしてもよい。また、上記の支持手段を組み合わせて用いてもよい。
【００２２】
保持部材１６は、棒状の部材であり、展示物２４を前面から押さえる役割を有するものである。保持部材１６は展示物２４を前から押さえ、後述の裏板１８が展示物２４を後ろから押さえることで、展示物２４が保持される。すなわち、展示物２４は、保持部材１６と裏板１８との間に挟まれることで姿勢が保持されることになる。
【００２３】
本実施形態においては、保持部材１６は円柱状の部材であるが、円柱状に限らず、板状或いは角柱状等であってもよい。保持部材１６は、透明又は半透明の部材であることが好ましい。これにより、保持部材１６により展示物２４が見えなくなる部分を少なくすることが可能になり、展示の美観の損なうことを抑制することができる。
【００２４】
保持部材１６は、金属等の剛体であってもよいが、可撓性を有することが好ましい。もちろん、保持部材１６は展示物２４を保持するためのものであるため、展示物２４を保持し得る程度の剛性を有する必要があるが、人が力を加えることにより撓ませることができる程度の可撓性を有していることが好ましい。これにより、保持部材１６の凹部１４への挿抜が容易になり、保持部材１６の取り付け及び取り外しを容易にすることができる。また、保持部材１６は、裏板１８との間に展示物２４を挟み込んで保持できる適度の弾力性を有することが望ましい。
【００２５】
保持部材１６は、樹脂製であることが好ましい。保持部材１６を金属とすると錆び等により展示物２４を傷めるおそれがあり、樹脂製とすることで、保持部材１６によって展示物２４を傷める可能性を低減させることができる。本実施形態としては、保持部材１６としてアクリル樹脂を用いている。
【００２６】
なお、図１には保持部材１６が２つ示されているが、保持部材１６は、展示物２４の形状に応じて１つ或いは３以上設けられるようにしてもよい。
【００２７】
裏板１８は、枠体１２の裏面に設けられる。上述の通り、裏板１８は、展示物２４を後面から押さえる役割を有するものである。また、裏板１８は展示物２４の背景となる部分であり、これの素材、色等により展示の美観を向上させるものでもある。
【００２８】
裏板１８には、展示物２４を収容する展示物収容溝２０，２２が設けられている。
【００２９】
本実施形態においては、展示物収容溝２０は、額縁１０の横方向、すなわち額縁１０を略垂直に立てた状態における水平方向に延設して設けられる。展示物収容溝２０の幅及び深さは任意であってよいが、展示物２４の高さや厚みに応じて設定されるのが好ましい。例えば、展示物２４が本である場合は、展示物収容溝２０の幅は展示物２４の高さと同等とし、深さは本を開いたときの厚みと同等とするのが好ましい。
【００３０】
また、本実施形態においては、展示物収容溝２２は展示物収容溝２０内に設けられ、額縁１０の縦方向、すなわち額縁１０を垂直に立てた状態における鉛直方向に延設して設けられる。展示物収容溝２２の幅及び深さも任意であってよいが、例えば、展示物２４である本を閉じた状態で展示する場合に、展示物２４が丁度収まる程度の幅及び深さであることが好ましい。
【００３１】
展示物２４を展示物収容溝２０，２２に収容することにより、展示物２４と額縁１０とにおいて一体感が生じ美観が向上するのみならず、展示物２４をより確実に保持するという効果を奏する。
【００３２】
例えば、額縁１０が略垂直に立てられた場合において、展示物２４の下端部が展示物収容溝２０の縁に当接することで展示物２４の保持を補助する。また、展示物２４である本が閉じられた状態で展示物収容溝２２に収められている場合には、額縁１０が略垂直に立てられた場合に展示物２４の保持を補助することはもとより、横方向に傾けられたとしても、展示物収容溝２２の縁が展示物２４に当接することで展示物２４の保持を補助する。
【００３３】
裏板１８の展示物２４に当接する面の素材としては摩擦係数の高い素材が用いられる事が好ましい。これにより、裏板１８と展示物２４との間における摩擦力が展示物２４を保持する力となり、さらに展示物２４を保持する力を向上させることができる。本実施形態においては、美観も考慮し、裏板１８の展示物２４との当接面はベルベット状となっている。また、当該当接面をフェルト状としてもよい。
【００３４】
図２は、額縁１０を略垂直に立てた状態における正面図である。額縁１０が略垂直に立てられた状態であっても、展示物２４である本は、保持部材１６と裏板１８とにより挟まれることにより開かれ立てられた状態で姿勢が保持されている。これにより、略垂直のみならず前傾姿勢においても展示物２４の姿勢を保持することができる。また、展示物収容溝２０の下側の縁に展示物２４が引っ掛かることで、展示物２４の保持が補助されている。
【００３５】
図３は、裏板１８のＡ−Ａ断面図であり、展示物収容溝２２を示す図である。図３に示すように、展示物２４である本が開かれている場合であっても、本の背の部分或いは背の部分近傍が展示物収容溝２２の縁に引っ掛かることにより、横方向のずれに対する保持力を補助する力となる。額縁１０が横方向から衝撃を受ける等、展示物２４を横方向にずらす大きな力が加わったとしても、展示物収容溝２２により展示物２４の横方向のずれを図３に示す２４ａの位置から２４ｂの位置の範囲内に収めることが可能になる。
【符号の説明】
【００３６】
１０  額縁、１２  枠体、１４，１４’  凹部、１６  保持部材、１８  裏板、２０，２２  展示物収容溝、２４，２４ａ，２４ｂ  展示物。
【図１】
0003188590.tif 000003
【図２】
0003188590.tif 000004
【図３】
0003188590.tif 000005